(57)【要約】 【課題】足の寸法を容易に測ることのできる足寸法測定具を提供する。【解決手段】大きさを段階的に区切った足型の測定板２を複数備え、測定板２の各々のつま先部位に貫通孔２Ｂが形成された集束部２Ａを形成し、測定板２を大きさ順に並べて集束部２Ａを揃えることで連通した貫通孔２Ｂに集束具（ワイヤーＷ）を挿通した。【効果】測定板２を足に接触させたとき、仮にその測定板２が若干不適切であってもその次の大きさの測定板２を探す手間などが省け、足の寸法を極めて短時間で測ることができ、ひいてはどのサイズの靴が合うかが即座に判断できる。【選択図】  図１
0003118078.tif 000002
【実用新案登録請求の範囲】
【請求項１】
大きさを段階的に区切った足型の測定板を複数備え、これら測定板のそれぞれのつま先部位に貫通孔が形成された集束部を形成し、前記測定板を大きさの小さい順に並べて前記集束部を揃えることで連通した前記貫通孔に集束具を挿通したことを特徴とする足寸法測定具。
【請求項２】
足の踵部位を中心としたつま先へ向かう途中部位までに、上方へと折り返した折返部を測定板と連続的に形成したことを特徴とする請求項１記載の足寸法測定具。
【請求項３】
足の少なくとも第１趾の中足骨の末梢部が位置する内底部の面に、踵部分が位置する面より低い窪み部を形成したことを特徴とする請求項１又は２記載の足寸法測定具。
【考案の詳細な説明】
【技術分野】
【０００１】
本考案は、足の寸法を容易に測ることのできる足寸法測定具に関する。
【背景技術】
【０００２】
センサーなど電気的な機構を用いずに足の長さや幅などを測るための測定具が例えば特許文献１及び２等に各種提案されている。
【０００３】
【特許文献１】特許第３４７９０１９号公報
【特許文献２】特開２００５−２１６５７号公報
【０００４】
特許文献１は、足の長さ、足の幅、足の高さを測定するための目盛りがシート上に設けられており、該シートに足を乗せてこれらの目盛りから各々の長さを採寸する構成とされている。特許文献２は、幼児の踵に背面から当接させる立面と、足の裏に当接させる足裏板とを備え、足裏板に大きさを段階的に示す表示を有する構成とされている。
【考案の開示】
【考案が解決しようとする課題】
【０００５】
しかしながら、上記した特許文献１及び２は、いずれも幼児の足、特に乳幼児の足を測るには次の点から不具合がある。すなわち乳幼児は、だっこした状態から離せばいやがるから身体を激しく動かすし、矯正的に身体を動かしてその状態を維持させようとしてもやはりいやがって身体を激しく動かす。
【０００６】
したがって、特許文献１におけるシートや特許文献２における足裏板に足を乗せれば１〜２分という短時間で完了する採寸であっても、実際として、乳幼児が、シートや足裏板に足を乗せてその状態を１〜２分も維持できないから、正しく採寸できないし、仮に採寸できたとしても非常に時間がかかるか正確性に欠けるものとなる。
【０００７】
この点を解消すべく、乳幼児の足をシートや足裏板に乗せるという使い方ではなく、乳幼児の足にシートや足裏板を接触させるという使い方で対処することができる。しかしながら、例えばだっこした状態の乳幼児の足にシートや足裏板を接触させると、今度はシートや足裏板による採寸がやりにくく、結果的に時間を要するし、時間を要すればその分だけ違和感を覚えた乳幼児が暴れる可能性もある。
【０００８】
本考案が解決しようとする問題点は、乳幼児においては足の寸法を測る装置や器具に足を静置した状態で維持するのが非常に困難であり、装置や器具を乳幼児の足に接触させると採寸がやりにくくなる、という点を解消することにある。
【課題を解決するための手段】
【０００９】
上記問題点を解決するために、本考案の足寸法測定具は、大きさを段階的に区切った足型の測定板を複数備え、これら測定板のそれぞれのつま先部位に貫通孔が形成された集束部を形成し、測定板を大きさの小さい順に並べて集束部を揃えることで連通した貫通孔に集束具を挿通したのである。
【００１０】
また、本考案の足寸法測定具は、上記構成に加えて、足の踵部位を中心としたつま先へ向かう途中部位までに、上方へと折り返した折返部を測定板と連続的に形成してもよい。  
【００１１】
また、本考案の足寸法測定具は、上記構成に加えて、足の少なくとも第１趾の中足骨の末梢部が位置する内底部の面に、踵部分が位置する面より低い窪み部を形成してもよい。
【考案の効果】
【００１２】
本考案に係る足寸法測定具は、測定者が被測定者の足の大きさを目視しておよその見当をつけて、その大きさと思われる測定板を被測定者の足に接触させる。つまり、市販の大量販売される靴においては、所詮足の大きさを測ったとしても用意する靴のサイズは大抵５ｍｍ間隔であるから、採寸については巻尺などを使ったりして測る必要はなく、どのサイズの靴が合うのかが判れば十分なのである。
【００１３】
すなわち、測定板は、１枚毎に足型とされ、大きさを段階的に区切って複数備えているので見当が外れても、すぐさま他の測定板を接触させればよく、概ね２回の採寸、時間にして数秒でどのサイズの靴が合うのかが判る。本考案に係る足寸法測定具は、乳幼児に特に有効であり、だっこされたままでも足の採寸が可能であるし、何より乳幼児に何らの違和感を与えずに採寸ができる、こうした効果より、採寸に要する時間が極めて短時間になるという好循環が生じる。
【００１４】
さらに、本考案の足寸法測定具は、測定板を大きさの小さい順に並べて貫通孔に集束具を挿通してまとめてあるので、１回目の見当が外れても、すぐさま１回目で見当が外れた寸法より大きい又は小さい大きさの、１回目で用いた測定板と隣接する測定板を足に接触させることができる。つまり、採寸に用いようとするサイズの測定板を探さなくてもよいということである。
【００１５】
また、本考案の足寸法測定具は、上記構成に加えて、足の踵部位を中心としたつま先へ向かう途中部位までに、上方へと折り返した折返部を測定板と連続的に形成しておくことで、踵を折返部に接触させれば測定板のつま先部位の先端から実際の足のつま先までの差が容易に把握でき、また、折返部に足の両側部が接触するなら、若干小さいと判断できるという具合に足の幅も理解できる。
【００１６】
また、本考案の足寸法測定具は、上記構成に加えて、足の少なくとも第１趾の中足骨の末梢部が位置する内底部の面に、踵部分が位置する面より低い窪み部を形成することで、体重がかかる第１趾の中足骨の末梢部を中心にして測定板による採寸が可能となる。すなわち実際の足の第１趾の中足骨の末梢部を窪み部に乗せたうえで、測定板の前後、左右を見れば、靴のサイズと足の大きさとが適切であるか否かが判断できるのである。
【考案を実施するための最良の形態】
【００１７】
本考案は、図１〜図３に示す形態で実施可能である。
１は、本考案の足寸法測定具であり、以下の構成とされる。２は、足型形状、さらに詳しくは実際の靴に挿入されるような中敷きと同じ形状でかつ同じ材質とされた測定板である。この測定板２は、本例では特に乳幼児用に１１．５〜１６．０ｃｍまでを０．５ｃｍ毎に区切って１０枚備え、不図示であるが、各々にサイズが表示されている。
【００１８】
測定板２は、望ましくは、０．５ｃｍ間隔で１１．５〜１５．０ｃｍまでの８枚を一まとめにすればよい。この理由は、業界においてこの範囲が乳幼児用靴のサイズとされており、それ以上たくさんの測定板２を一まとめにしても、持ち歩くのに邪魔となる。ちなみに、子供用という範囲においては１４．０〜２１．０ｃｍを０．５ｃｍ毎に区切って８枚用いるのが望ましい。
【００１９】
また、測定板２を０．５ｃｍ毎に大きさを異ならせているのは、実際の靴のサイズがその間隔で製造されるからである。つまり、測定板２は、０．５ｃｍ毎で長さも幅も相似形状的に大きく（小さく）されている。
【００２０】
つまり、実際の（いわゆる既製品の）靴は０．５ｃｍ間隔で用意されているから事実上は詳細な採寸は必要とならない。この点に関してみれば、本考案の足寸法測定具１は、測定板２を０．５ｃｍ毎に複数枚、大きさ順に並べて一まとめにしているので既製品の靴のサイズと実際の足のサイズとを比較判断することについては極めて合理的である。
【００２１】
測定板２は、そのつま先部位に、測定板２の足型輪郭から突出した集束部２Ａが形成されている。この集束部の中央部位には、貫通孔２Ｂが形成されている。これら集束部２Ａと貫通孔２Ｂは、大きさが段階的に異なる測定板２全てで共通の大きさとされる。
【００２２】
そして、足寸法測定具１は、本例では１０枚の測定板２を、集束部２Ａ部位で揃えたときに連通する全測定板２の貫通孔２Ｂに対して本例では例えばワイヤーＷ（集束具）を通し、このワイヤーＷの一端に設けた係合部材２Ｃと他端とを係合させて円環状とし、この円環状とされたワイヤーＷに対してカラビナＰを取り付けて一まとめにしている。
【００２３】
このようにしておけば、足寸法測定具１を、ズボンのベルト通しに引っ掛けておいて必要時にすぐさま使うことができる。また、測定板２が分離して必要となる寸法のものを探さなくてもよく、かつ１回目の採寸で若干見当が違った場合であってもその測定板２に隣接する測定板２が即座に使用することができる。
【００２４】
さらに、本例では、測定板２は、踵部位を中心としたつま先へ向かう途中部位までに、上方へと折り返した折返部２Ｄを形成している。この折返部２Ｄは、測定板２と一体かつ連続して設けられている。また、折返部２Ｄは、具体的には、測定板２の輪郭に沿って、いわゆる土踏まず部位から、踵部位を経由して、足の幅方向において土踏まず部と対向する位置まで形成されている。
【００２５】
折返部２Ｄを形成することによって、足に測定板２を接触させる際に、足の踵を折返部２Ｄの踵部位に当接させ、これを基準にしてつま先を見れば、足の長さと測定板２の長さとの差がひと目で判断できる。また、足の長さが適当であっても、足の幅が不適当な場合もあるが、その場合も折返部２Ｄに足の左右部が接触したり、折返部２Ｄと足の左右部との間に大きく隙間が生じるなら、その測定板２は不適当であることがすぐ判断できる。  
【００２６】
また、本例では、測定板２において、第１趾〜第５趾の末節骨、中節骨、基節骨の正しい位置とされる部分に窪み部２ａを、さらに第１趾の母趾球が位置する部分に窪み部２ｂを、各々形成している。
【００２７】
これら窪み部２ａ，２ｂは、踵部分が位置する面より０．８〜１ｍｍ低くされている。この理由は、０．８ｍｍより浅いと足の上記した骨の部位を位置させにくいからであり、また、１ｍｍより深いと乳幼児が違和感を覚えたり、足の骨が深く沈んでしまって採寸が狂うからである。
【００２８】
前記折返部２Ｄが形成されていない場合は、この窪み部２ａ，２ｂに足の骨を当てて、これを基準として採寸を行えばその測定板２が適切か否かを判断できる。一方、折返部２Ｄが形成されている場合は、折返部２Ｄに踵を当てて、足の長さ、足の幅、及び窪み部２ａ，２ｂに正しく足の骨が位置しているかを確認してその測定板２が適切か否かを判断できる。
【実施例】
【００２９】
以下、本考案に係る足寸法測定具１の効果を確認するために行った試験について説明する。試験は特許文献１，２の構成とされた測定具（比較例１，２）と本考案の構成による足寸法測定具１（実施例１，２，３）とをそれぞれ用いて、１〜２歳の乳幼児１０人に対して片足の採寸を行い、開始とされるときから採寸を行って適切な靴を選ぶまでの時間を計測し、平均時間を算出した。
【００３０】
なお、実施例１は、図１〜図３に示した構成において、折返部２Ｄと、窪み部２ａ，２ｂとを省略した構成である。実施例２は、実施例１の構成に折返部２Ｄを有した構成、つまり窪み部２ａ，２ｂを省略した構成である。実施例３は、実施例１の構成に、折返部２Ｄと、窪み部２ａ，２ｂとを有した構成、すなわち図１〜図３に示した構成である。
【００３１】
その結果を次に示す。
実施例１は約４０秒、実施例２は約３０秒、実施例３は約２０秒であった。
また、比較例１は約５分、比較例２は約５分であった。
【００３２】
上記結果を考察すると、まず、実施例１〜実施例３と比較例１，２との比較を総括すると、比較例１，２は、いずれも乳幼児がシートや足裏板に足を乗せてその状態を採寸が完了するまで維持できず、ここで時間がかかってしまい、また、足が移動して正しく採寸できずに、採寸して選択した靴が合わず採寸をし直すという状況が多く、その結果、時間も極めて長くなった。
【００３３】
比較例１，２に対して実施例１〜３は、測定板２をだっこされたまま、あるいはベビーカーに乗ったままの乳幼児の足に接触させるだけなので、ぐずったり、足が移動するといったことが皆無であったために時間が極めて短くなった。
【００３４】
また、実施例１〜３は、基本的に「足の寸法自体の詳細を測る」というのではなく、「どのサイズの靴が合うか」を見るだけなので、既製品の靴を選ぶ点に関しては、例え最初に足に接触させた測定板２の寸法が不適切であっても、それを基準にしてもう一度別の寸法の測定板２を接触させて、あるいは最初に選択した不適切であった測定板２から判断して靴のサイズが選択できた、という点も時間を短縮する要因となった。
【００３５】
次に、実施例１〜３の個々について考察すると、実施例１は、基準が定まらないのでこの測定板２で合うか否かの判断に手間取ることがあり、選択した靴には足の長さは適切であるが、足の幅が不適切なものがあって、採寸をし直す状況があった。
【００３６】
実施例２は、実施例１に較べて折返部２Ｄにより、踵を基準にできるから足の長さを、また、足の幅が合うか否かを、それぞれ判断できるから時間を短縮できた。実施例３は、折返部２Ｄに踵を合わせてなお窪み部２ａ，２ｂで足の骨の位置を基準にできるから、時間の短縮とともに精度よく適切な靴を選択することができた。
【産業上の利用可能性】
【００３７】
上記した例では、乳幼児用の足寸法測定具１を説明したが、子供用、大人用、女性用、といったような測定板２のパターンを用意してそれらを一まとめにしてもよい。そして、子供用以上の年齢層の測定板２については、土踏まずに接触する隆起部分を測定板２に形成しておいて、この部分も適切な靴のサイズを選ぶ条件にしてもよい。
【図面の簡単な説明】
【００３８】
【図１】本考案の足寸法測定具の全体構成を示す図である。
【図２】本考案の足寸法測定具の全体構成を示す図である。
【図３】本考案の足寸法測定具における測定板の部分断面を示し、（ａ）は図１のＡ−Ａ線部分断面図、（ｂ）は図１のＢ−Ｂ線部分断面図、である。
【符号の説明】
【００３９】
１  足寸法測定具
２  測定板
２Ａ  集束部
２Ｂ  貫通孔
２Ｄ  折返部
２ａ  窪み部
２ｂ  窪み部
【図１】
0003118078.tif 000003
【図２】
0003118078.tif 000004
【図３】
0003118078.tif 000005